(57)【特許請求の範囲】
【請求項１】
テキストデータを含むデジタルコンテンツの前記テキストデータを表示する表示部と、
前記テキストデータの内容を音声出力する音声出力部と、
前記テキストデータが前記表示部においてフレーズ毎に実際に表示された表示時間を、前記フレーズ毎に実質表示時間として記憶する実質表示時間記憶部と、
前記テキストデータの前記フレーズ毎の標準表示時間を予め記憶している標準表示時間記憶部と、
前記実質表示時間記憶部から取り出した前記実質表示時間と、前記標準表示時間記憶部から取り出した前記実質表示時間に対応する前記標準表示時間に所定の閾値を乗算し、かつ、前記実質表示時間記憶部から取り出した前記実質表示時間が、前記実質表示時間記憶部から取り出した前記実質表示時間に対応する前記標準表示時間に前記所定の閾値を乗算した時間以上の場合に、前記実質表示時間に対応する前記フレーズが前記音声出力部への音声出力の有無にかかわらず既読であると判定する既読判定部と、
を具備していることを特徴とするデータ再生装置。
【請求項２】
前記テキストデータの１音素あたりにおける標準再生時間が単位発音時間データとして記憶されている単位発音時間データ記憶部と、
前記テキストデータにおける前記フレーズ毎の音素構成がフレーズ音素構成データとして記憶されているフレーズ音素構成データ記憶部と、
前記単位発音時間データ記憶部から取り出した前記単位発音時間データと、前記フレーズ音素構成データ記憶部から取り出した前記フレーズ音素構成データと、を乗算して前記標準表示時間を算出する標準表示時間算出部と、
をさらに有していることを特徴とする請求項１記載のデータ再生装置。
【請求項３】
データ入力部をさらに有し、
前記データ入力部から前記閾値が変更可能であることを特徴とする請求項１または２記載のデータ再生装置。
【請求項４】
データ入力部をさらに有し、
前記単位発音時間データがデータ入力部から変更可能であることを特徴とする請求項２記載のデータ再生装置。
【請求項５】
テキストデータを含むデジタルコンテンツのうち、少なくとも前記テキストデータを表示部に出力するデータ出力工程と、
前記テキストデータが前記表示部においてフレーズ毎に実際に表示された表示時間を、前記フレーズ毎に実質表示時間として実質表示時間記憶部に記憶させる実質表示時間記憶工程と、
前記実質表示時間記憶部から前記実質表示時間を取り出し、前記テキストデータの前記フレーズ毎の標準表示時間が予め記憶されている標準表示時間記憶部から前記実質表示時間に対応する前記標準表示時間を取り出しすると共に前記標準表示時間に所定の閾値を乗算し、かつ、前記実質表示時間記憶部から取り出した前記実質表示時間が、前記実質表示時間記憶部から取り出した前記実質表示時間に対応する前記標準表示時間に前記所定の閾値を乗算した時間以上の場合に、前記実質表示時間に対応する前記フレーズが既読であると判定する既読判定工程と、
を有することを特徴とするデータ再生方法。
【請求項６】
前記テキストデータの１音素あたりにおける標準再生時間が単位発音時間データとして記憶されている単位発音時間データ記憶部から前記単位発音時間データを取り出す工程と、
前記テキストデータにおける前記フレーズ毎の音素構成がフレーズ音素構成データとして記憶されているフレーズ音素構成データ記憶部から前記フレーズ音素構成データを取り出す工程と、
前記単位発音時間データ記憶部から取り出した前記単位発音時間データと、前記フレーズ音素構成データ記憶部から取り出した前記フレーズ音素構成データと、を乗算して前記フレーズ毎の前記標準表示時間を算出する標準表示時間算出工程と、
をさらに有していることを特徴とする請求項５記載のデータ再生方法。
【請求項７】
前記閾値をデータ入力部から入力された数値に変更する閾値変更工程をさらに有していることを特徴とする請求項５または６記載のデータ再生方法。
【請求項８】
前記単位発音時間データをデータ入力部から入力された数値に変更する単位発音時間データ変更工程をさらに有していることを特徴とする請求項６記載のデータ再生方法。
【発明の詳細な説明】
【技術分野】
【０００１】
本発明はデータ再生装置およびデータ再生方法に関し、より詳細には、再生対象であるデジタルコンテンツ（テキストデータを含む）が使用者により早送り動作等の再生操作以外の操作をされた場合であっても、使用者により実質的に内容確認がなされたデジタルコンテンツに対して既読判定することを可能にしたデータ再生装置およびデータ再生方法に関する。
【背景技術】
【０００２】
本体またはネットワーク上（いわゆるクラウド上）に配設された記憶部に記憶されているデジタルコンテンツを表示部や音声出力部に出力するデータ再生装置としては、使用者の使用目的に合わせた構成のものが多数提供されている。このようなデータ再生装置の一例として、デジタルコンテンツがＤＡＩＳＹ（Ｄｉｇｉｔａｌ  Ａｃｃｅｓｓｉｂｌｅ  Ｉｎｆｏｒｍａｔｉｏｎ  ＳＹｓｔｅｍ）規格で生成されたＤＡＩＳＹ再生装置が知られている。
【０００３】
ＤＡＩＳＹ再生装置は、読みに困難がある児童や生徒（以下、使用者という）の学習支援機として好適に用いられている。出願人が提案しているＤＡＩＳＹ再生装置においては、デジタルコンテンツに対する使用者の操作履歴ログを収集する機能を備えているもの（特許文献１参照）がある。また、近年においては、ＤＡＩＳＹ再生装置が収集した使用者の操作履歴ログの内容を分析することにより、使用者の学習状況等の把握を行う試みも行われている。
【先行技術文献】
【特許文献】
【０００４】
【特許文献１】特開２００７−１６４７７６号公報
【発明の概要】
【発明が解決しようとする課題】
【０００５】
このような使用者の操作履歴ログを収集することができるＤＡＩＳＹ再生装置によれば、使用者が再生操作を行ったデジタルコンテンツについては既読判定をすることができるため、指導者や使用者は既読（再生済み）のデジタルコンテンツと未読（未再生）のデジタルコンテンツとを容易に区別することができ、使用者の学習状況の把握等において好都合である。しかしながら、使用者は、表示部としての画面にデジタルコンテンツを表示する際に、音声出力部への音声データの出力を伴わず、デジタルコンテンツを画面に表示してデジタルコンテンツのテキストデータの内容を確認した後に早送り動作（画面表示のみでデジタルコンテンツの内容確認（いわゆるデジタルコンテンツの黙読））を行っていることがある。このように使用者が黙読を行ったデジタルコンテンツについては、使用者としては再生を行ったという認識はあるものの、使用者の操作履歴ログを解析しても再生が行われたことを検出することができないという新たな課題の所在が明らかになった。
【０００６】
そこで本発明は、使用者がデジタルコンテンツに対して通常の再生操作（テキストデータを表示部に表示すると共に音声データを音声出力部に音声出力する操作）を行っていない場合であっても、実質的にデジタルコンテンツの内容を確認している（デジタルコンテンツを黙読している）場合には、そのデジタルコンテンツに対して既読判定することを可能にしたデータ再生装置とデータ再生方法の提供を目的としている。
【課題を解決するための手段】
【０００７】
上記課題を解決するため発明者が鋭意研究した結果、使用者がデジタルコンテンツ内のフレーズ（文節、単文、複数の文等、文章内における区切れの単位を意味する）を検索する際におけるデジタルコンテンツのフレーズ毎の表示部への実際の表示時間（デジタルコンテンツの滞留時間）と、デジタルコンテンツを黙読している際におけるデジタルコンテンツの表示時間と、デジタルコンテンツを通常再生した際の標準表示時間との差に注目し、以下の構成に想到した。
【０００８】
すなわち、本発明は、テキストデータを含むデジタルコンテンツの前記テキストデータを表示する表示部と、前記テキストデータの内容を音声出力する音声出力部と、前記テキストデータが前記表示部においてフレーズ毎に実際に表示された表示時間を、前記フレーズ毎に実質表示時間として記憶する実質表示時間記憶部と、前記テキストデータの前記フレーズ毎の標準表示時間を予め記憶している標準表示時間記憶部と、前記実質表示時間記憶部から取り出した前記実質表示時間と、前記標準表示時間記憶部から取り出した前記実質表示時間に対応する前記標準表示時間に所定の閾値を乗算し、かつ、前記実質表示時間記憶部から取り出した前記実質表示時間が、前記実質表示時間記憶部から取り出した前記実質表示時間に対応する前記標準表示時間に前記所定の閾値を乗算した時間以上の場合に、前記実質表示時間に対応する前記フレーズが前記音声出力部への音声出力の有無にかかわらず既読であると判定する既読判定部と、を具備していることを特徴とするデータ再生装置である。
【０００９】
これにより、使用者がデジタルコンテンツに対して通常の再生操作を行っていない場合であっても、実質的にデジタルコンテンツ内のフレーズの内容を確認している（黙読している）場合には、そのデジタルコンテンツのフレーズに対して既読判定をすることができる。
【００１０】
また、前記テキストデータの１音素あたりにおける標準再生時間が単位発音時間データとして記憶されている単位発音時間データ記憶部と、前記テキストデータにおける前記フレーズ毎の音素構成がフレーズ音素構成データとして記憶されているフレーズ音素構成データ記憶部と、前記単位発音時間データ記憶部から取り出した前記単位発音時間データと、前記フレーズ音素構成データ記憶部から取り出した前記フレーズ音素構成データと、を乗算して前記標準表示時間を算出する標準表示時間算出部と、をさらに有していることが好ましい。
【００１１】
また、テキストデータを含むデジタルコンテンツのうち、少なくとも前記テキストデータを表示部に出力するデータ出力工程と、前記テキストデータが前記表示部においてフレーズ毎に実際に表示された表示時間を、前記フレーズ毎に実質表示時間として実質表示時間記憶部に記憶させる実質表示時間記憶工程と、前記実質表示時間記憶部から前記実質表示時間を取り出し、前記テキストデータの前記フレーズ毎の標準表示時間が予め記憶されている標準表示時間記憶部から前記実質表示時間に対応する前記標準表示時間を取り出しすると共に前記標準表示時間に所定の閾値を乗算し、かつ、前記実質表示時間記憶部から取り出した前記実質表示時間が、前記実質表示時間記憶部から取り出した前記実質表示時間に対応する前記標準表示時間に前記所定の閾値を乗算した時間以上の場合に、前記実質表示時間に対応する前記フレーズが既読であると判定する既読判定工程と、を有することを特徴とするデータ再生方法としての発明もある。
【００１２】
これにより、使用者がデジタルコンテンツに対して通常の再生操作を行っていない場合であっても、実質的にデジタルコンテンツ内のフレーズの内容を確認している（黙読している）場合には、そのデジタルコンテンツのフレーズに対して既読判定をすることができる。
【００１３】
また、前記テキストデータの１音素あたりにおける標準再生時間が単位発音時間データとして記憶されている単位発音時間データ記憶部から前記単位発音時間データを取り出す工程と、前記テキストデータにおける前記フレーズ毎の音素構成がフレーズ音素構成データとして記憶されているフレーズ音素構成データ記憶部から前記フレーズ音素構成データを取り出す工程と、前記単位発音時間データ記憶部から取り出した前記単位発音時間データと前記フレーズ音素構成データ記憶部から取り出した前記フレーズ音素構成データとを乗算して前記フレーズ毎の前記標準表示時間を算出する標準表示時間算出工程と、をさらに有していることが好ましい。
【００１４】
また、前記閾値が変更可能であることが好ましい。これにより、使用者の文章読み上げスキルに応じたデジタルコンテンツの既読判定を行うことができる。
【００１５】
また、前記単位発音時間データが変更可能であることが好ましい。これにより、使用者の年齢等に応じてデジタルコンテンツのフレーズ毎の標準表示時間の調整をすることができる。
【発明の効果】
【００１６】
本発明にかかるデータ再生装置およびデータ再生方法の構成を採用することにより、使用者がデジタルコンテンツに対して通常の再生操作を行っていない場合であっても、実質的にデジタルコンテンツのフレーズの内容を確認している（黙読している）場合には、そのデジタルコンテンツのフレーズに対して既読判定をすることができる。これにより使用者の指導を行う指導者はデータ再生装置の使用者の学習状況の把握をより正確に行うことができると共に、適切な学習指導を行うことができる。
【図面の簡単な説明】
【００１７】
【図１】第１実施形態におけるデータ再生装置の概略構成図である。
【図２】第１実施形態におけるデータ再生装置によるデータ再生方法のフロー図である。
【図３】第１実施形態のデータ再生装置で作成したフレーズ再生データの概略説明図である。
【図４】デジタルコンテンツのあるフレーズにおいて、実質表示時間と標準表示時間の割合とその頻度とを正規化した分布図である。
【図５】デジタルコンテンツに対する既読または未読の判定をする際における条件説明図である。
【図６】第２実施形態におけるデータ再生装置の概略説明図である。
【図７】一部機能が省略されたデータ再生装置とパーソナルコンピュータとによるデータ再生状態判定システムの概略構成図である。
【発明を実施するための形態】
【００１８】
以下、本発明にかかるデータ再生装置とデータ再生方法の実施形態について図面に基づいて説明する。
【００１９】
（第１実施形態）
図１は本実施形態におけるデータ再生装置の概略構成図であり、図２は本実施形態におけるデータ再生装置によるデータ再生方法のフロー図である。本実施形態においては図１に示すように、いわゆるタブレット端末やスレートパソコンと称されている電子機器によりデータ再生装置１０が構成されている形態に基づいて説明する。データ再生装置１０のデジタルコンテンツＤＣは半導体等により構成される不揮発性メモリに代表される記憶部１２に記憶されている。データ再生装置１０がネットワーク接続部１４を有している場合には、ネットワーク接続部を介して接続されたネットワーク上に配設されている記憶部３０に格納されているデジタルコンテンツＤＣをダウンロードやストリーミング等により記憶部１２に恒久的または一時的に記憶させて用いることもできる。この場合の記憶部１２は揮発性メモリを用いることもできる。また、ネットワーク接続部１４の接続形態は有線接続・無線接続の種類は問わない。
【００２０】
なお、本実施形態におけるデジタルコンテンツＤＣとは、テキストデータおよびテキストデータを読み上げてなる音声データを少なくとも含むデジタルデータを指すものとする。テキストデータおよび音声データの他に画像データ等の他のデータを含ませることも可能である。
【００２１】
記憶部１２に記憶されたデジタルコンテンツＤＣは、動作制御部１８により記憶部１２から読み出され（データ読み出し工程）る。記憶部１２から読み出されたデジタルコンテンツＤＣは、データ再生装置１０の液晶画面に代表されテキストデータや画像データを表示する表示部１６Ａおよびスピーカーに代表され音声データを音声出力する音声出力部１６Ｂにより構成されるデータ出力部１６に出力される（データ出力工程）。データ再生装置１０のＣＰＵに代表される動作制御部１８は、記憶部１２に予めインストールされている再生用プログラムＰＰに基づいてデジタルコンテンツＤＣを順次データ出力部１６に出力させるのである。
【００２２】
また、動作制御部１８は、フレーズ再生ログ収集部１８Ａとしての機能も有している。フレーズ再生ログ収集部１８Ａは、デジタルコンテンツＤＣのテキストデータが表示部１６Ａに出力されると、テキストデータ内の各フレーズが実際に表示部１６Ａに表示されたときの時間（表示開始時刻ＯＴ）を収集して記憶部１２に記憶させる。またフレーズ再生ログ収集部１８Ａは、デジタルコンテンツＤＣのテキストデータ内の各フレーズの表示部１６Ａへの表示時間内における使用者の操作内容ＯＰを収集してフレーズ再生ログＦＬとして記憶部１２に記憶させる。ここでは、フレーズ毎の表示開始時刻ＯＴおよび操作内容ＯＰを収集する工程をフレーズ再生ログ収集工程としている。また、標準時間記憶部としての記憶部１２にはデジタルコンテンツＤＣのテキストデータ内の各フレーズの標準表示時間ＮＴが記憶されている。
【００２３】
そしてフレーズ再生データ作成部１８Ｂは、再生用プログラムＰＰに登録されているデジタルコンテンツＤＣのテキストデータにおいてフレーズ毎に付与された識別番号ＩＤおよび標準表示時間ＮＴと、フレーズ再生ログＦＬの表示開始時刻ＯＴ、操作内容ＯＰを紐付けしたフレーズ再生データＦＰ（図３参照）を作成（フレーズ再生データ作成工程）し、作成したフレーズ再生データＦＰを記憶部１２に記憶させる処理を実行する（フレーズ再生データ記憶工程）。なお、フレーズ再生データＦＰには上記の情報の他にフレーズの再生に関する他の情報をフレーズの識別番号ＩＤに紐付けすることもできる。
【００２４】
ここで、本実施形態における実質表示時間算出部１８ＣによりデジタルコンテンツＤＣのテキストデータのフレーズ毎の表示部１６Ａへの実質表示時間ＲＴの収集方法について説明する。実質表示時間算出部１８Ｃは、フレーズ再生データＦＰからデジタルコンテンツＤＣのテキストデータのＮ番目におけるフレーズの表示開始時刻ＯＴと、（Ｎ＋１）番目のフレーズの表示開始時刻ＯＴとの差を算出することによりＮ番目のフレーズの実質表示時間ＲＴを得る（実質表示時間算出工程）。そして実質表示時間算出部１８Ｃは、実質表示時間記憶部である記憶部１２にＮ番目のフレーズの実質表示時間ＲＴを記憶させている（実質表示時間記憶工程）。ここで、再生用プログラムＰＰによる自動再生や通常の再生操作が行われていた場合、デジタルコンテンツＤＣのＮ番目のフレーズにおける実質表示時間ＲＴは、デジタルコンテンツＤＣのＮ番目のフレーズにおける標準表示時間ＮＴと等しくなるのである。
【００２５】
このようなデジタルコンテンツＤＣの通常の再生操作に対して、デジタルコンテンツＤＣのテキストデータにおけるあるフレーズが表示部１６Ａに出力された後に、使用者が表示中のフレーズに対して送り操作または戻り操作をした場合、そのフレーズに対する実質表示時間ＲＴはそのフレーズに対する標準表示時間ＮＴよりも短時間になる。より詳細に説明すると、使用者が出力対象としているデジタルコンテンツＤＣ内のフレーズを探しているような場合、実質表示時間ＲＴは標準表示時間ＮＴよりも大幅に短時間になることがほとんどである。
【００２６】
また、使用者がデジタルコンテンツＤＣのテキストデータの特定フレーズに対して送り操作または戻り操作をした場合であっても、使用者がその特定フレーズに対していわゆる黙読等をした（デジタルコンテンツＤＣのテキストデータにおける特定フレーズの内容が十分に確認された）ということも考えられる。このような場合、特定フレーズに対応する実質表示時間ＲＴは、特定フレーズに対応する標準表示時間ＮＴよりも短時間になることがあっても、極端に短時間になることはないことが出願人による実験結果から明らかになっている（図４参照）。
【００２７】
本実施形態においては、動作制御部１８により実現される既読判定部１８Ｄが、フレーズ再生データＦＰに基づいて、デジタルコンテンツＤＣのテキストデータのＮ番目のフレーズについて、フレーズの内容が確認された（既読）か否（未読）かの判定を行う。この判定は、図５に示すように、既読判定部１８Ｄが標準表示時間ＮＴに記憶部１２に記憶されている所定の閾値ＴＨを乗じた値と、実質表示時間ＲＴとの比較を行うことにより行われる。
【００２８】
具体例には、既読判定部１８Ｄは、デジタルコンテンツＤＣのテキストデータのＮ番目のフレーズにおける実質表示時間ＲＴがＮ番目のフレーズにおける標準表示時間ＮＴに閾値ＴＨを乗じて得た時間以上である場合、デジタルコンテンツＤＣの音声データの出力の有無にかかわらずＮ番目のフレーズに対して既読判定をし、デジタルコンテンツＤＣのテキストデータのＮ番目のフレーズにおける実質表示時間ＲＴがＮ番目のフレーズにおける標準表示時間ＮＴに閾値ＴＨを乗じて得た時間未満である場合、デジタルコンテンツＤＣの音声データの出力の有無にかかわらずＮ番目のフレーズに対して未読判定をする（既読判定工程）。また既読判定部１８Ｄは以上のようにして行われた既読または未読判定の結果をフレーズの識別番号ＩＤに対応させた既読判定データＪＤを作成すると共に記憶判定データ記憶部である記憶部１２に記憶させる処理を実行する（既読判定データ記憶工程）。既読判定データＪＤには、デジタルコンテンツＤＣおよびデジタルコンテンツＤＣ内のテキストデータに対する識別子を付与することもできる。
【００２９】
なお、この閾値ＴＨは、既読判定部１８ＤによるデジタルコンテンツＤＣのテキストデータのフレーズ毎における既読判定処理を行う前に、再生用プログラムＰＰにより表示部１６Ａに出力されたデータ入力部（図示せず）から入力された値を用いることもできるし、使用者の年齢や黙読スキル等に応じて予め記憶部１２に記憶させておくこともできる。また閾値ＴＨは、予めデータ入力部により入力されていた数値または予め記憶部１２に記憶されていた数値からデータ入力部により入力された新たな数値に変更可能に設定されていてもよい（閾値変更工程）。
【００３０】
なお、既読判定部１８Ｄは、デジタルコンテンツＤＣのテキストデータの特定フレーズが自動再生されていた場合や使用者により再生操作が行われていることをフレーズ再生データＦＰから確認することができた場合には、そのフレーズに対する既読判定処理をスキップ（省略）させることができる。
【００３１】
以上に説明したように、本実施形態におけるデータ再生装置１０は、再生用プログラムＰＰに登録されているそれぞれのデジタルコンテンツＤＣについて、デジタルコンテンツＤＣ内のテキストデータにおけるフレーズ毎に既読か未読かを判定するための既読判定データＪＤを記憶部１２に記憶させることができる。使用者の指導者は、データ再生装置１０の記憶部１２に予め記憶されている管理用ソフトを起動して、管理用ソフトに基づいて動作制御部１８が表示部１６Ａに既読判定データＪＤによる使用者の学習状況をグラフ化して出力させることができる。これにより指導者は、使用者が使用しているデータ再生装置１０から入手した既読判定データＪＤに基づいて、使用者のデータ再生装置１０によるデジタルコンテンツＤＣの再生状態を正確に判断することができ、使用者の学習状況に応じて適切な学習指導を行うことが可能になる点で好都合である。
【００３２】
（第２実施形態）
本実施形態におけるデータ再生装置１０の構成のうち、第１実施形態におけるデータ再生装置１０の構成と共通する構成部分については、第１実施形態で用いた符号を用いることによりここでの詳細な説明は省略している。本実施形態におけるデータ再生装置１０には、図６に示すように、デジタルコンテンツＤＣのテキストデータにおける１音素あたりにおける標準再生時間が単位発音時間データＴＤとして単位発音時間データ記憶部としての記憶部１２に予め記憶されている。また、デジタルコンテンツＤＣのテキストデータにおけるフレーズ毎の音素構成がフレーズ音素構成データＦＤとしてフレーズ音素構成データ記憶部としての記憶部１２に予め記憶されている。本実施形態におけるフレーズ音素構成データＦＤは、各フレーズに含まれている音素数のデータである。また、動作制御部１８内には標準表示時間算出部１８Ｅが設けられている。
【００３３】
標準表示時間算出部１８Ｅは、記憶部１２から単位発音時間データＴＤとフレーズ音素構成データＦＤとを取り出しする（単位発音時間データ取り出し工程，フレーズ音素構成データ取り出し工程）。また、標準表示時間算出部１８Ｅは、単位発音時間データＴＤとフレーズ音素構成データＦＤとを乗算することでデジタルコンテンツＤＣのテキストデータ内のフレーズ毎の標準表示時間ＮＴを算出する（標準表示時間算出工程）と共に、標準表示時間記憶部としての記憶部１２に記憶させるのである（標準表示時間記憶工程）。このようにして算出したフレーズ毎の標準表示時間ＮＴと、実質表示時間ＲＴおよび閾値ＴＨを用い、先の実施形態と同様にして既読判定部１８Ｄがフレーズ毎に既読判定を行うことができる。
【００３４】
このようなデータ再生装置１０の構成を採用した場合、デジタルコンテンツＤＣのテキストデータ内のフレーズ毎に標準表示時間ＮＴを予め紐付けしておく必要がない他、データ再生装置１０がＴＴＳ機能を有していればデジタルコンテンツＤＣの音声データを省略することもでき、デジタルコンテンツＤＣのデータ容量を小さくすることができる。また、使用者の指導者は、再生用プログラムＰＰにより表示部１６Ａに表示された入力手段（図示せず）を介して単位発音時間データＴＤの数値を変更することもできる（単位発音時間データ変更工程）。これにより指導者はデータ再生装置１０の記憶部１２に記憶されているデジタルコンテンツＤＣを大幅に入れ替える処理をしなくても、使用者の文章読み上げスキルに応じたデータ再生装置１０の設定を行うことができる点で好都合である。
【００３５】
以上に本発明にかかるデータ再生装置１０およびこれを用いたデータ再生方法について実施形態に基づいて詳細に説明を行ったが、本発明の技術的範囲は、以上の実施形態に限定されるものではない。例えば、以上の実施形態においては、データ再生装置１０に内蔵されている動作制御部１８により、フレーズ再生ログ収集部１８Ａ，フレーズ再生データ作成部１８Ｂ，実質表示時間算出部１８Ｃ，既読判定部１８Ｄをそれぞれ実現する実施形態について説明しているが、この形態に限定されるものではない。具体的には、図７に示すようなデータ再生状態判定システム１００としての形態を採用することもできる。
【００３６】
このデータ再生状態判定システム１００は、上記実施形態におけるデータ再生装置１０の一部機能を省略したデータ再生装置１０と、一部省略した機能を代替するパーソナルコンピュータ５０と、による再生状態判定システム１００としての実施形態である。パーソナルコンピュータ５０は公知の構成であるので、ここでの詳細な構成についての説明は省略している。図７に示すように、データ再生装置１０とパーソナルコンピュータ５０とはネットワーク接続部１４または図示しないハードウェアインターフェイスを介してデータ通信可能に接続されている。ここでのデータ再生装置１０はデータ再生ログ記憶工程までをフレーズ再生ログ収集部１８Ａに実行させる機能に限定した構成になっている。また、パーソナルコンピュータ５０の図示しない記憶部には、パーソナルコンピュータ５０の図示しないＣＰＵにフレーズ再生データ作成部１８Ｂ，実質表示時間算出部１８Ｃ，既読判定部１８Ｄ（および標準表示時間算出部１８Ｅ）として機能させるための応用ソフトがインストールされている。
【００３７】
また、第２実施形態においては、１音素あたりにおける標準再生時間が文字にかかわらず共通であって、フレーズ音素構成データＦＤがフレーズ内に含まれている音素の数とした簡易な実施形態例である。このような第２実施形態の変形例として、１音素あたりにおける標準再生時間を文字に応じて異なる時間を紐付けした単位発音時間データＴＤと、各フレーズ内に含まれている文字と文字の数とが紐付けされたフレーズ音素構成データＦＤとを用いた実施形態を採用することもできる。
【００３８】
また、以上の実施形態においては、あるデジタルコンテンツＤＣのテキストデータ内の特定のフレーズにおける実質表示時間ＲＴが同じフレーズに対応する標準表示時間ＮＴに閾値ＴＨを乗じて得た時間以上であるか否かにより、デジタルコンテンツＤＣのテキストデータ内のフレーズに対して既読か未読かを判定する既読判定を行う形態（閾値ＴＨが１未満であるということ）について説明したが、この形態に限定されるものではない。例えば、閾値ＴＨを１より大きい数値に設定し、あるデジタルコンテンツＤＣのテキストデータ内の特定のフレーズにおける実質表示時間ＲＴが同じフレーズに対応する標準表示時間ＮＴに閾値ＴＨを乗じて得た時間以上であるか否かにより、使用者によるデジタルコンテンツＤＣのテキストデータの特定フレーズにおける読みの困難度合いを判断するための使用形態にすることも可能である。
【００３９】
このような使用形態の場合、フレーズ再生データＦＰにデジタルコンテンツＤＣのテキストデータのフレーズ毎に通算再生回数データをフレーズの識別番号ＩＤに追加紐付けしておけば、より詳細な使用者によるデジタルコンテンツＤＣのテキストデータ内のフレーズ毎における読みの困難度合いを分析することができる。また、このようなデジタルコンテンツＤＣのテキストデータ内のフレーズ毎における読みの困難度合いを分析する形態においては、デジタルコンテンツＤＣのテキストデータを表示部１６Ａにフレーズ毎に表示した状態で放置した場合を除外するために閾値ＴＨに上限値を設定しておくことがより好適である。
【００４０】
また、以上の実施形態においては、デジタルコンテンツＤＣのテキストデータ内のフレーズ毎の実質表示時間ＲＴを、Ｎ番目のフレーズと（Ｎ＋１）番目のフレーズとの再生開始時刻の差を算出する形態で説明しているが、Ｎ番目と（Ｎ＋１）番目とは必ずしもテキストデータ内に登録されているフレーズの表示順ではなく、使用者の操作により実際にデータ再生装置１０の表示部１６Ａに表示されたフレーズ順であってもよい。このような形態は、使用者がデジタルコンテンツＤＣ内のテキストデータのフレーズを戻り方向に黙読している場合が該当する。
そして、以上の実施形態において説明した形態と上記変形例を適宜組み合わせた形態を採用することも可能である。
【符号の説明】
【００４１】
１０  データ再生装置
１２  記憶部
１４  ネットワーク接続部
１６  データ出力部
１６Ａ  表示部
１６Ｂ  音声出力部
１８  動作制御部
１８Ａ  フレーズ再生ログ収集部
１８Ｂ  フレーズ再生データ作成部
１８Ｃ  実質表示時間算出部
１８Ｄ  既読判定部
１８Ｅ  標準表示時間算出部
３０  ネットワーク上に配設されている記憶部
５０  パーソナルコンピュータ
１００  データ再生状態判定システム
ＤＣ  デジタルコンテンツ
ＰＰ  再生用プログラム
ＲＴ  実質表示時間
ＮＴ  標準表示時間
ＦＰ  フレーズ再生データ
ＴＨ  閾値
ＩＤ  識別番号
ＪＤ  既読判定データ
ＴＤ  単位発音時間データ
ＦＤ  フレーズ音素構成データ
【図１】
0006373294.tif 000002
【図２】
0006373294.tif 000003
【図３】
0006373294.tif 000004
【図４】
0006373294.tif 000005
【図５】
0006373294.tif 000006
【図６】
0006373294.tif 000007
【図７】
0006373294.tif 000008